(57)【要約】【課題】ＥＭＩを一層確実に低減することが可能な信号伝送装置を提供する。【解決手段】本発明の信号伝送装置７０は、基準クロックＳ３を生成する基準クロック生成手段７１と、前記基準クロックＳ３の各パルスを乱数で変調することで、所定幅の略平坦な周波数ピークを有した制御クロックＳ４を生成するクロック変調手段７２と、を備えることを特徴とする。さらに、前記基準クロックＳ３の各パルスの変調量を乱数で得る手段として、その変調量を各パルスに対して乱数で記憶する変調量記憶手段７３、又は乱数を発生する乱数発生手段８１を備える。【選択図】図６
2009253837.tif 000002
【特許請求の範囲】
【請求項１】
基準クロックを生成する基準クロック生成手段と、
前記基準クロックの各パルスを乱数で変調することで、所定幅の略平坦な周波数ピークを有した制御クロックを生成するクロック変調手段と、を備えることを特徴とする信号伝送装置。
【請求項２】
前記基準クロックの各パルスに対する変調量を、各パルスに対して乱数で記憶する変調量記憶手段を更に含み、
前記クロック変調手段は、前記変調量に基づき、前記基準クロックの各パルスを変調することを特徴とする請求項１に記載の信号伝送装置。
【請求項３】
乱数を発生する乱数発生手段を更に含み、
前記クロック変調手段は、前記乱数に基づき、前記基準クロックの各パルスを変調することを特徴とする請求項１に記載の信号伝送装置。
【請求項４】
前記変調量記憶手段は、各パルス毎に一対一で変調量が乱数で記憶されるルックアップテーブルを含むことを特徴とする請求項２に記載の信号伝送装置。
【請求項５】
請求項１から請求項４のいずれか１項に記載の信号伝送装置と、
前記信号伝送装置から出力される前記制御クロックに基づいて映像信号を出力する映像制御手段と、
前記映像信号に基づいて表示を行う表示パネルと、を備えることを特徴とする表示装置。
【請求項６】
前記表示パネルが液晶を用いた液晶パネルであることを特徴とする請求項５に記載の表示装置。
【請求項７】
請求項５又は請求項６に記載された表示装置を備えることを特徴とするテレビ受信装置。
【発明の詳細な説明】
【技術分野】
【０００１】
本発明は、信号伝送装置、表示装置、及びテレビ受信装置に関する。
【背景技術】
【０００２】
液晶表示装置等のデジタル回路を多く使用する電子機器は、水晶発振器やオシレータ等で生成されたクロック信号を用いて駆動する構成が一般的である。これらのクロック信号の基本波又は高調波は、回路基板上のパターンやケーブル等を通して不要電磁波として空中に放射され、この電磁波が他の電子機器に影響を及ぼす場合がある。特に、近年、液晶表示装置の高精細化などによる回路規模の大規模化や、大型化に伴うアンテナ部位の大型化に伴い、かかる電磁波障害（ＥＭＩ；Electro Magnetic Interference）のレベルも大きくなりつつある。このＥＭＩの対策として、拡散スペクトル・クロック生成装置を用いる技術が知られている（例えば、特許文献１参照）。
【０００３】
特許文献１には、基準周波数信号のクロック・パルスを生成するクロック・パルス生成手段と、クロック・パルス生成手段を変調して、ピークの周波数分布を広げて平坦化する拡散スペクトル変調手段とを含む拡散スペクトル・クロック生成装置が開示されている。これによれば、拡散スペクトル変調手段が、所定の周期と、当該所定の周期の関数としての周波数偏差プロファイルとを有する周期波形によってクロック・パルス生成手段を周波数変調することにより、従来発生していたクロック・パルスのピークの周波数分布が平坦化されてピーク強度が低減されることで、ＥＭＩの低減を図ることが可能とされている。また、かかる拡散スペクトル・クロック生成装置を備えた表示装置も開示されている（特許文献２参照）。
【特許文献１】特開平９−９８１５２号公報
【特許文献２】特開２００６−２３５１１８公報
【発明の開示】
【発明が解決しようとする課題】
【０００４】
ところで、拡散スペクトル・クロック生成装置は、上記したとおり、基準となるクロック・パルスに対して、その周期の関数により求められる周期性変調パルス、例えば正弦波等の周期性のあるパルスによって周波数変調する構成とされているため、基準クロック・パルスの周波数の高周波数側及び／又は低周波数側に、周期性変調パルスの周期間隔に準じて突出したピーク（サイドバンド）が発生する場合がある。
【０００５】
かかるサイドバンドのピーク強度が、変調により低減した基準周波数のピーク強度に比して大きい場合には、当該サイドバンドのピークがＥＭＩの主要なスペクトラム成分となり得る。したがって、拡散スペクトル・クロック生成装置により基準周波数のピーク強度を低減したにも拘らず、その低減により得られるべきＥＭＩに対する効果が得られない場合がある。
【０００６】
本発明は、上記のような事情に基づいてなされたものであって、ＥＭＩを一層確実に低減することが可能な信号伝送装置を提供することを目的としている。また、本発明は、そのような信号伝送装置を備えた表示装置、さらに、そのような表示装置を備えたテレビ受信装置を提供することを目的とする。
【課題を解決するための手段】
【０００７】
上記課題を解決するために、本発明の信号伝送装置は、基準クロックを生成する基準クロック生成手段と、前記基準クロックの各パルスを乱数で変調することで、所定幅の略平坦な周波数ピークを有した制御クロックを生成するクロック変調手段と、を備えることを特徴とする。
【０００８】
このような構成によれば、基準クロックの各パルスを、乱数で変調する、つまりランダムな変調量で順次変調することで、周期性のない変調を行うことができ、基準クロックの周波数ピークが分散されて所定幅の略平坦な周波数ピークを有する制御クロックを得ることが可能となる。このようにして得られた制御クロックは、ＥＭＩの主要なスペクトラム成分となり得る突出した周波数ピークを有することがなく、ＥＭＩを低減することが可能となる。
従来、基準クロックの変調は、周期性のある変調用パルスにより行われていたが、変調後の制御クロックにおいて、基準クロックの周波数の高周波数側及び／又は低周波数側に、変調用パルスの周期間隔に準じて突出したピークが発生する場合があった。かかるピークの発生を抑止するために、基準クロックに対して、周期性の異なる多数の変調用パルスを重ねる手段も考えられるが、変調用パルスを重ねる加算器を多数配置することになるため、回路規模が大きくかつ複雑になるとともに、コスト増大が危惧される。
【０００９】
しかしながら、本発明の構成によれば、乱数に基づいて基準クロックの変調を行うものとしたため、回路構成を大きくかつ複雑にすることなく、突出した周波数ピークの発生を抑止することが可能となる。すなわち、クロック変調手段は、基準クロックの各パルスに対して、規則性も再現性も有しない乱数の変調量で順次変調するものとされるため、周期性のない変調を行うことができ、突出した周波数ピークを分散することが可能となる。その結果、制御クロックは、基準クロックのピーク強度より強度が小さく、かつ略平坦な、より詳しくは平坦な又は多数の細かいピークを有するものとなる。したがって、当該制御クロックにはＥＭＩの主要なスペクトラム成分となり得る突出したピークが出現しないため、効果的にＥＭＩを低減することが可能となる。
【００１０】
また、本発明の信号伝送装置において、前記基準クロックの各パルスに対する変調量を、各パルスに対して乱数で記憶する変調量記憶手段を更に含み、前記クロック変調手段は、前記変調量に基づき、前記基準クロックの各パルスを変調するものとすることができる。
或いは、乱数を発生する乱数発生手段を更に含み、前記クロック変調手段は、前記乱数に基づき、前記基準クロックの各パルスを変調するものとすることができる。
【００１１】
このように、変調量が乱数で記憶された変調量記憶手段、又は乱数を発生する乱数発生手段をさらに設けることにより、クロック変調手段が、これら変調量又は乱数に基づき基準クロックの各パルスを変調するという簡便な構成で周期性のない制御クロックを生成することができるため、コストダウンに寄与することが可能となる。
【００１２】
また、前記変調量記憶手段は、各パルス毎に一対一で変調量が乱数で記憶されるルックアップテーブルを含むものとすることができる。
このように、各パルス毎に一対一で変調量が乱数で記憶されるルックアップテーブルを設けることにより、クロック変調手段がこのルックアップテーブルを順次参照して基準クロックを変調するという簡便な構成で制御クロックを生成することができるため、コストダウンに寄与するとともに、安定した変調制御を行うことが可能となる。
【００１３】
次に、上記課題を解決するために、本発明の表示装置は、上記記載の信号伝送装置と、前記信号伝送装置から出力される前記制御クロックに基づいて映像信号を出力する映像制御手段と、前記映像信号に基づいて表示を行う表示パネルと、を備えることを特徴とする。
このような表示装置によると、制御クロックの周波数ピークが略平坦化された信号伝送装置を用いてなるため、当該表示装置においてもＥＭＩの低減を実現することが可能となる。
【００１４】
前記表示パネルとしては液晶パネルを例示することができる。このような表示装置は液晶表示装置として、種々の用途、例えばテレビやパソコンのデスクトップ画面等に適用でき、特に大型画面用として好適である。
【００１５】
また、本発明のテレビ受信装置は、上記表示装置を備えることを特徴とする。
このようなテレビ受信装置によると、ＥＭＩが低減された表示装置を用いてなるため、当該テレビ受信装置においてもＥＭＩの低減が実現される。
【発明の効果】
【００１６】
本発明の信号伝送装置によると、クロックの周波数ピークを略平坦化することにより、ＥＭＩを低減することが可能となる。また、本発明の表示装置によると、そのような信号伝送装置を用いてなるため、ＥＭＩの低減を実現することが可能となる。また、本発明のテレビ受信装置によると、そのような表示装置を備えてなるため、ＥＭＩの低減を実現することが可能となる。
【発明を実施するための最良の形態】
【００１７】
＜実施形態１＞
本発明の実施形態１を図１ないし図９によって説明する。本実施形態では、液晶表示装置１０を備えるテレビ受信装置ＴＶについて例示する。
図１は本実施形態に係るテレビ受信装置の概略構成を示す分解斜視図、図２は液晶表示装置の概略構成を示す分解斜視図、図３は図２の液晶表示装置の長辺方向に沿った断面構成を示す断面図である。
【００１８】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、テレビ放送などを受信するためのチューナーＴと、スタンドＳとを備えて構成される。液晶表示装置（表示装置）１０は、全体として横長の方形をなし、縦置き状態で収容されている。この液晶表示装置１０は、図２に示すように、表示パネルである液晶パネル１１と、外部光源であるバックライト装置１２とを備え、これらがベゼル１３などにより一体的に保持されるようになっている。
【００１９】
次に、液晶表示装置１０を構成する液晶パネル１１及びバックライト装置１２について説明する（図２及び図３参照）。
バックライト装置１２は、所謂直下型のバックライト装置であって、液晶パネル１１のパネル面（すなわち表示面）の背面直下に、当該パネル面に沿って光源（ここでは高圧放電管として冷陰極管１７を用いている）を複数具備した構成となっている。
【００２０】
さらに、バックライト装置１２は、上面側に開口部１４ｂを有した略箱型をなすシャーシ１４と、シャーシ１４の開口部１４ｂを覆うようにして取り付けられる光学部材１５（拡散板１５ａ及び光学シート１５ｂ）と、これら拡散板１５ａ及び光学シート１５ｂをシャーシ１４に保持するためのフレーム１６とを備える。さらに、シャーシ１４内には、冷陰極管１７と、冷陰極管１７をシャーシ１４に取り付けるためのランプクリップ１８と、冷陰極管１７の端部を支持するランプホルダ１９と、冷陰極管１７群の端部及びランプホルダ１９を一括して覆うホルダ２０とを備える。なお、当該バックライト装置１２においては、冷陰極管１７よりも拡散板１５ａ側が光出射側となっている。
【００２１】
シャーシ１４は、金属製とされ、矩形状の底板とその各辺から立ち上がる側面とからなる浅い略箱型に形成されている。このシャーシ１４には、冷陰極管１７の光出射側とは反対側（シャーシ１４の底板の内面側）に反射シート２１が配設され、これにより光反射面が形成されている。
【００２２】
反射シート２１は、合成樹脂製とされ、その表面が光反射性に優れた白色とされており、図３に示すように、シャーシ１４の内面に沿ってそのほぼ全域を覆うように敷かれて一体化され、シャーシ１４の壁面を構成している。この反射シート２１により、冷陰極管１７から出射された光を拡散板１５ａ側に反射させることが可能となっている。また、シャーシ１４のうち冷陰極管１７及び反射シート２１が配設された側と反対側の面（シャーシ１４の底板の外面）には、液晶パネル１１の駆動を制御する制御基板３０が取り付けられている。
【００２３】
冷陰極管１７は、細長い管状をなしており、その長さ方向（軸方向）をシャーシ１４の長辺方向と一致させた状態で、かつ多数本が互いに平行に並んだ状態でシャーシ１４内に収容されている（図２参照）。冷陰極管１７は、白色を呈する合成樹脂製のランプクリップ１８に把持されることで、シャーシ１４（反射シート２１）との間に僅かな間隙が設けられた状態とされている。冷陰極管１７の各端部はランプホルダ１９に嵌め込まれ、これらランプホルダ１９を被覆するようにホルダ２０が取り付けられている。
【００２４】
ホルダ２０は、白色を呈する合成樹脂製とされ、シャーシ１４の短辺方向に沿って延びる細長い略箱型をなしている（図２参照）。当該ホルダ２０は、図３に示すように、その表面側に拡散板１５ａを載置可能な階段状面を有するものとされている。
【００２５】
一方、シャーシ１４の開口部１４ｂ側には拡散板１５ａ及び光学シート１５ｂが配設されている。拡散板１５ａは、合成樹脂製の板状部材に光散乱粒子が分散配合されてなり、線状光源たる冷陰極管１７から出射される線状の光を拡散する機能を有する。拡散板１５ａの短辺縁部は上記したようにホルダ２０の階段面上に載置され、長辺縁部はシャーシ１４の縁部に載置されている。
【００２６】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。当該光学シート１５ｂの周縁部の上面側にはフレーム１６が設置され、当該フレーム１６とベゼル１３に挟持されるようにして液晶パネル１１が配置されている。
【００２７】
続いて、液晶パネル１１について説明する。図４は液晶パネルの画面中央側部分の拡大断面図、図５は図４の液晶パネルに備わるアレイ基板の拡大平面図である。
液晶パネル１１は、図４に示すように、一対の横長な矩形状をなす基板４１，４２と、両基板４１，４２間に介在し、電圧印加に伴って光学特性が変化する液晶層４３とを備えている。
【００２８】
両基板４１，４２は、表側（正面側、表示側）がＣＦ基板４１とされ、裏側（背面側）がアレイ基板４２とされる。アレイ基板４２には、透明な（透光性を有する）ガラス基板４２ａの内面側（液晶層４３側、ＣＦ基板４１との対向面側）に、図５に示すように、スイッチング素子であるＴＦＴ４４（Thin Film Transistor）及び画素電極４５が多数個並んで設けられている。これらＴＦＴ４４及び画素電極４５の周りには、それぞれゲートドライバ（図示せず）及びソースドライバ（図示せず）から延びるゲート配線４６及びソース配線４７が格子状をなして配設されている。これらのうち、画素電極４５はＴＦＴ４４のドレイン電極に、ソース配線４７はＴＦＴ４４のソース電極に、ゲート配線４６はＴＦＴ４４のゲート電極にそれぞれ接続されている。画素電極４５は、ＩＴＯ（Indium Tin Oxide）或いはＺｎＯ（Zinc Oxide）といった透明電極からなる。また、アレイ基板４２及びゲート配線４６の表面には、図４に示すように、絶縁層４８が形成され、この絶縁層４８の表面に画素電極４５が形成され、さらに画素電極４５の表面に液晶層４３を配向するための配向膜４９が形成されている。
【００２９】
一方、ＣＦ基板４１には、透明な（透光性を有する）ガラス基板４１ａの内面側（液晶層４３側、アレイ基板４２との対向面側）のうち、アレイ基板４２に形成された各画素電極４５と対向する位置に、カラーフィルタを構成する多数個の着色層５１が並んで設けられている。カラーフィルタは、Ｒ（赤色），Ｇ（緑色），Ｂ（青色）の３色の着色層５１が交互に並ぶ配置とされる。カラーフィルタを構成する各着色層５１同士の間には、混色を防ぐための遮光層５２が形成されている。着色層５１及び遮光層５２の表面には、アレイ基板４２側の画素電極４５と対向する対向電極５３が設けられている。また、対向電極５３の表面には、液晶層４３を配向するための配向膜５４が形成されている。また、両基板４１，４２の外面側（液晶層４３とは反対側）には、それぞれ表裏一対の偏光板５５ａ，５５ｂが配されている。
【００３０】
次に、上記した液晶パネル１１の駆動を制御する構成例について図６及び図７を用いて説明する。図６は液晶表示装置の表示制御機能の構成を示すブロック図、図７はクロック制御部に備わるルックアップテーブルのテーブル内容例を示す概略説明図である。なお、図６中、液晶パネルの駆動に関わるすべての回路は、シャーシ１４の裏面側に取り付けられた制御基板３０上に形成されている。
【００３１】
液晶パネル１１の映像データについての制御を行う映像制御部６０は、図６に示すように、映像データ発生部６１、映像信号発生回路６２、ＦＩＦＯメモリ６３、及び出力段６４を備えてなる。
映像信号発生回路６２は、チューナーＴ（図６には図示せず）に外部から入力されるテレビジョンデータＤ１が映像データ発生部６１を中継して入力される回路であり、当該テレビジョンデータＤ１に基づいて、当該液晶パネル１１の表示（駆動）用の映像信号Ｓ１を生成し、ＦＩＦＯメモリ６３に出力する。
【００３２】
ＦＩＦＯ（First In First Out）メモリ６３は、バッファリングとフロー制御を行うメモリとされる。具体的には、映像信号発生回路６２から出力された映像信号Ｓ１を蓄積して、出力のタイミングの制御を行い、当該蓄積された映像信号Ｓ１を、先入れ先出しの制御を行って出力段６４に出力する。
【００３３】
出力段６４は、ＦＩＦＯメモリ６３から出力された映像信号Ｓ１を、後述する変調回路７２から出力された制御クロックＳ４と同期して映像制御信号Ｓ２を生成し、当該映像制御信号Ｓ２を液晶パネル１１に出力する。液晶パネル１１では、当該映像制御信号Ｓ２がソースドライバ（図示せず）に送信され、ソース配線４７を介してＴＦＴ４４に送信される（図５参照）。
【００３４】
一方、液晶パネル１１の駆動タイミングの基準となる信号を生成及び送信するクロック制御部（信号伝送装置）７０は、基準クロック生成部（基準クロック生成手段）７１、変調回路（クロック変調手段）７２、及びルックアップテーブル（ＬＵＴ；変調量記憶手段）７３を備えてなる。
【００３５】
基準クロック生成部７１は、水晶振動子などの発振子によって基準クロックＳ３を生成して、当該基準クロックＳ３を変調回路７２に出力する。本実施形態では、基準クロックＳ３は、そのクロック周期が約１３．４ｎｓｅｃで一定なものとされている。
【００３６】
変調回路７２は、基準クロック生成部７１から出力された基準クロックＳ３に対して、ＬＵＴ７３を参照して変調を行い、制御クロックＳ４を生成する。ＬＵＴ７３は、図７に示すように、基準クロックＳ３の各パルスに対応付けられた信号Ｎｏ．と、乱数配列された変調量と、当該変調量に基づく変調後のクロック周期とが記憶されている。
【００３７】
より詳細には、ＬＵＴ７３には、基準クロックＳ３の各パルス毎に、一対一で変調量が記憶されており、当該変調量は、「−０．０２５（−２．５％）」〜「＋０．０２５（＋２．５％）」の範囲の乱数配列で、つまり規則性も再現性もないランダムな配列で記憶されている。例えば、基準クロックＳ３の１番目のパルスに対しては、信号Ｎｏ．１に対応付けられた変調量が「−０．０１２５０８」とされ、当該パルスの変調後のクロック周期が「０．０１３４６８ｎｓｅｃ」とされている。なお、本実施形態では、ＬＵＴ７３を２５６個の乱数配列された変調量が記憶されたテーブルとしているが、変調量の記憶数は任意であり、１２８個、５１２個等を選択することができる。ただし、この変調量の記憶数が多いほど制御クロックＳ４に周期性、規則性を付与し難いものとすることが可能となるため、メモリ容量や制御安定性等の許容する範囲でより多くの変調量を記憶させておくことが望ましい。また、変調量の範囲は、上記した±２．５％に限られるものではないが、当該液晶表示装置１０の表示品質にほとんど影響を与えない範囲として数％程度に設定することが好適である。
【００３８】
変調回路７２は、基準クロックＳ３の各パルスに対して、上記したＬＵＴ７３に記憶された変調量に基づき順次変調を行うことで制御クロックＳ４を生成し、当該制御クロックＳ４を液晶パネル１１及び出力段６４に出力する。液晶パネル１１では、当該制御クロックＳ４を基にしたクロック信号がゲートドライバ及びソースドライバに送信され、それぞれ上述したゲート配線４６及びソース配線４７を介してＴＦＴ４４に送信される（図５参照）。
【００３９】
かかるクロック制御部７０より出力される制御クロックＳ４について、図８及び図９を用いて説明する。図８は基準クロック及び制御クロックのタイミングチャート、図９は基準クロック及び制御クロックの周波数スペクトラムを示す図である。
制御クロックＳ４は、図８に示すように、基準クロックＳ３の各パルスがＬＵＴ７３に記憶された変調量に従ってシフト（変調）したパルスを有してなる。当該変調量は乱数とされているため、各パルスのシフト量に周期性、規則性がなく、制御クロックＳ４は、その各パルス毎に周期が異なる、つまり一定の周期を有しないものとして出力される。その結果、制御クロックＳ４の周波数スペクトラムは、図９に示すように、基準クロックＳ３の周波数中心ｆｃを含む形で、所定幅の略平坦なピーク、より詳細には２５６個（ＬＵＴ７３の変調量の記憶数と同一）の細かいピークを有したものとなり、当該略平坦なピークは基準クロックＳ３のピーク強度より小さい強度を示す。なお、このように制御クロックＳ４の略平坦なピークが基準クロックＳ３の周波数中心ｆｃを含む形とすることにより、その後の制御クロックＳ４と他の信号との同期が容易となり、安定した駆動制御が可能となる。
【００４０】
以上説明したように、本実施形態に係る液晶表示装置１０によれば、クロック制御部７０は、基準クロック生成部７１と、これから出力される基準クロックの各パルスを乱数で変調することで、所定幅の略平坦な周波数ピークを有した制御クロックＳ４を生成する変調回路７２と、を備えるものとされている。
【００４１】
このような構成によれば、基準クロックＳ３の各パルスを、乱数で変調する、つまりランダムな変調量で順次変調することで、周期性のない変調を行うことができ、基準クロックＳ３の周波数ピークが分散されて所定幅の略平坦な周波数ピークを有する制御クロックＳ４を得ることが可能となる。このようにして得られた制御クロックＳ４は、その略平坦なピーク強度が基準クロックＳ３のピーク強度に比して小さくなり、かつＥＭＩの主要なスペクトラム成分となり得る突出した周波数ピークを有することがないため、ＥＭＩを低減することが可能となる。
【００４２】
また、本実施形態によれば、基準クロックＳ３の各パルスに対する変調量を、各パルス毎に一対一となる乱数で記憶されるルックアップテーブル７３を更に含み、変調回路７２はその変調量に基づき、基準クロックＳ３の各パルスを変調するものとされている。
【００４３】
このように、各パルス毎に一対一で変調量が乱数で記憶されるルックアップテーブル７３を設けることにより、変調回路７２がこのルックアップテーブル７３を順次参照して基準クロックＳ３を変調するという簡便な構成で制御クロックＳ４を生成することができるため、コストダウンに寄与するとともに、安定した変調制御を行うことが可能となる。
【００４４】
＜実施形態２＞
次に、本発明の実施形態２を図１０によって説明する。この実施形態２では、ＬＵＴに代えて擬似乱数生成部を備える構成に変更したものを示し、その他は前記実施形態と同様である。前記実施形態と同一部分には、同一符号を付して重複する説明を省略する。
図１０は本実施形態に係る液晶表示装置の表示制御機能の構成を示すブロック図である。
【００４５】
クロック制御部８０は、シャーシ１４の裏面側に取り付けられた制御基板３０-Ａ上に形成されており、図１０に示すように、基準クロック生成部７１、擬似乱数生成部（乱数生成手段）８１、及び変調回路８２を備えてなる。
基準クロック生成部７１は、水晶振動子などの発振子によって基準クロックＳ３を生成して、当該基準クロックＳ３を変調回路８２に出力する。
【００４６】
擬似乱数生成部８１は、例えばメルセンヌ・ツイスタ等の周知の擬似乱数生成器が配置され、乱数生成アルゴリズムにより擬似乱数（乱数）Ｒ１を生成し、当該擬似乱数Ｒ１を変調回路８２に出力する。
【００４７】
変調回路８２は、擬似乱数生成部８１から出力された擬似乱数Ｒ１に基づいて変調量を決定し、基準クロック生成部７１から出力された基準クロックＳ３の各パルスを、当該擬似乱数Ｒ１に基づいた変調量で順次変調を行うことで制御クロックＳ４′を生成し、当該制御クロックＳ４′を液晶パネル１１及び出力段６４に出力する。液晶パネル１１では、当該制御クロックＳ４を基にしたクロック信号がゲートドライバ及びソースドライバに送信され、それぞれ上述したゲート配線４６及びソース配線４７を介してＴＦＴ４４に送信される（図５参照）。
【００４８】
以上説明したように、本実施形態に係る液晶表示装置１０によれば、クロック制御部８０は、基準クロック生成部７１と、擬似乱数（乱数）Ｒ１を発生する擬似乱数生成部８１と、その擬似乱数Ｒ１に基づき基準クロックＳ３の各パルスを変調する変調回路８２とを備えるものとされている。
【００４９】
このように、基準クロックＳ３の各パルスを、擬似乱数生成部８１から発生した擬似乱数Ｒ１に基づいて変調する、つまりランダムな変調量で順次変調することで、周期性のない変調を行うことができ、基準クロックＳ３の周波数ピークが分散されて所定幅の略平坦な周波数ピークを有する制御クロックＳ４′を得ることが可能となる。このようにして得られた制御クロックＳ４′は、ＥＭＩの主要なスペクトラム成分となり得る突出した周波数ピークを有することがなく、ＥＭＩを低減することが可能となる。
また、擬似乱数生成部８１から変調回路８２に擬似乱数Ｒ１が出力され、当該擬似乱数Ｒ１に基づいて変調量が決定される構成としているため、擬似乱数生成部８１と変調回路８２との間での情報の送受信が単純化され、安定かつ高速な変調制御を行うことが可能となる。
【００５０】
＜他の実施形態＞
以上、本発明の実施形態について示したが、本発明は上記記述及び図面によって説明した実施形態に限定されるものではなく、例えば次のような実施形態も本発明の技術的範囲に含まれる。
【００５１】
（１）上記した実施形態では、表示データを一時蓄積するメモリとしてＦＩＦＯメモリを用いるものとしたが、これに限られるものではなく、例えばＲＡＭ（Random Access Memory）等を用いる構成としても良い。
【００５２】
（２）上記した実施形態では、ＬＵＴと変調回路とにより制御クロックを生成するものとしたが、例えばＬＵＴに記憶された変調量をさらに加工する演算回路を加えた構成も本発明に含まれる。
【００５３】
（３）上記した実施形態では、冷陰極管が液晶パネルの背面側に配される、いわゆる直下型のバックライト装置を例示したが、バックライト装置の配置構成はこれに限られず、例えば冷陰極管が液晶パネルの側面側に配置される、いわゆるサイドライト型バックライト装置等も本発明に含まれる。
【００５４】
（４）上記した実施形態では、光源として冷陰極管を使用した場合を示したが、例えば熱陰極管など他の種類の光源を用いたものも本発明に含まれる。
【００５５】
（５）上記した実施形態では、液晶パネルを備えるテレビ受信装置について例示したが、例えばパーソナルコンピュータ等の表示装置にも本発明は適用可能である。
【図面の簡単な説明】
【００５６】
【図１】本発明の実施形態１に係るテレビ受信装置の概略構成を示す分解斜視図。
【図２】図１のテレビ受信装置が備える液晶表示装置の概略構成を示す分解斜視図。
【図３】図２の液晶表示装置の長辺方向に沿った断面構成を示す断面図。
【図４】図２の液晶表示装置が備える液晶パネルの画面中央側部分の拡大断面図。
【図５】図５の液晶パネルに備わるアレイ基板の拡大平面図。
【図６】液晶表示装置の表示制御機能の構成を示すブロック図。
【図７】クロック制御部に備わるルックアップテーブルのテーブル内容例を示す概略説明図。
【図８】クロック制御部により生成されるクロックのタイミングチャート。
【図９】クロック制御部により生成されるクロックの周波数スペクトラムを示す図。
【図１０】本発明の実施形態２に係る液晶表示装置の表示制御機能の構成を示すブロック図。
【符号の説明】
【００５７】
１０…液晶表示装置（表示装置）、１１…液晶パネル（表示パネル）、６０…映像制御部（映像制御手段）、７０…クロック制御部（信号伝送装置）、７１…基準クロック生成部（基準クロック生成手段）、７２…変調回路（クロック変調手段）、７３…ルックアップテーブル（ＬＵＴ；変調量記憶手段）、８１…擬似乱数生成部（乱数発生手段）、Ｓ３…基準クロック、Ｓ４…制御クロック、ＴＶ…テレビ受信装置
【図１】
2009253837.tif 000003
【図２】
2009253837.tif 000004
【図３】
2009253837.tif 000005
【図４】
2009253837.tif 000006
【図５】
2009253837.tif 000007
【図６】
2009253837.tif 000008
【図７】
2009253837.tif 000009
【図８】
2009253837.tif 000010
【図９】
2009253837.tif 000011
【図１０】
2009253837.tif 000012